(57)【要約】【課題】従来のフード付きアウターウェア等のフードは、雨天時の自転車走行等において、前方からの風雨による「フードの脱げ」「目元の濡れ」に対する機能が不十分であった。また、その機能を補填するための装置や防雨具が着用時の見た目を損ね、携帯にも不便であった。【解決手段】フード付きアウターウェア等のフード上部中央または上部両端に、目元に装着されるメガネとフード上部とを着脱自在に係止する保持具を設けた。これにより、メガネによってフードが頭部に被着した状態で固定され、且つ目元への雨をメガネのレンズで防ぐことができ、着用時の見た目と携帯性の問題をすべて解決する事ができる。【選択図】図１
2019214800.tif 000002
【特許請求の範囲】
【請求項１】
前面に顔を露出するための開口部を有する本体部と、目元に装着され、レンズ部・ブリッジ部・アーム部を有し鼻梁と両耳に保持されるメガネの前記ブリッジ部を前記開口部の上部中央において保持するための帯状又は紐状の保持具とを備え、前記保持具を前記ブリッジ部にループ状に巻き付けるように保持させ、前記保持具の一端部と他端部を前記本体部に取り付けてなることを特徴とするフード。
【請求項２】
前面に顔を露出するための開口部を有する本体部と、目元に装着され、レンズ部・ブリッジ部・アーム部を有し鼻梁と両耳に保持されるメガネの前記アーム部2箇所を前記開口部の上部両端２箇所にループ状に巻き付けるように保持させ、前記保持具の一端部と他端部を前記本体部に取り付けてなることを特徴とするフード。
【請求項３】
前面に顔を露出するための開口部を有する本体部と、目元に装着され、レンズ部・ブリッジ部・アーム部を有し鼻梁と両耳に保持されるメガネの前記ブリッジ部を前記開口部の上部中央において保持するための帯状又は紐状の保持具とを備え、前記保持具の一端部が、前記本体部の前記開口部の前記上部中央内側に固着される又は着脱可能に取り付けられ、前記保持具を前記ブリッジ部にループ状に巻き付けるように保持させ、前記保持具の他端部が前記本体部の外側に着脱可能に係止される又は固着されてなることを特徴とするフード。
【請求項４】
前面に顔を露出するための開口部を有する本体部と、目元に装着され、レンズ部・ブリッジ部・アーム部を有し鼻梁と両耳に保持されるメガネの前記ブリッジ部を前記開口部の上部中央において保持するための帯状又は紐状の保持具とを備え、前記保持具を前記ブリッジ部にループ状に巻き付けるように保持させ、前記メガネ用保持具の一端部及び他端部が、前記本体部の外側に固着される又は着脱可能に係止されてなることを特徴とするフード。
【請求項５】
前面に顔を露出するための開口部を有する本体部と、目元に装着され、レンズ部・ブリッジ部・アーム部を有し鼻梁と両耳に保持されるメガネの前記アーム部２箇所を前記開口部の上部両端２箇所において保持するための帯状又は紐状の保持具とを備え、前記保持具の一端部が、前記本体部の上部両端２箇所に固着される又は着脱可能に係止され、前記保持具を前記アーム部２箇所にループ状に巻き付けるように保持させ、前記保持具の他端部が前期本体部の外側に着脱可能に係止される又は固着されてなることを特徴とするフード。
【請求項６】
前面に顔を露出するための開口部を有する本体部と、目元に装着され、レンズ部・ブリッジ部・アーム部を有し鼻梁と両耳に保持されるメガネの前記アーム部２箇所を前記開口部の上部両端２箇所において保持するための帯状又は紐状の保持具とを備え、前記保持具を前記アーム部２箇所にループ状に巻き付けるように保持させ、前記保持具の一端部及び他端部が、前期本体部の外側に固着される又は着脱可能に係止されてなることを特徴とするフード。
【請求項７】
前記保持具の一端部と他端部は前期本体部に対して異なる位置に固着される又は係止されてなることを特徴とする請求項１から６記載のフード。
【請求項８】
請求項１から７のいずれかに記載のフードを備えてなるアウターウェア。
【発明の詳細な説明】
【技術分野】
【０００１】
本発明は、頭部と目元の防雨機能を備えたフード及びフード付きアウターウェアと、それらに用いるフード用メガネ保持具に関するものである。
【背景技術】
【０００２】
現在市販されているフード付きアウターウェア、主にレインウェアは、デザイン性や素材や機能性など様々な改良が施されている。しかし、フード部分に関しては、単に襟元にフードが付いているものと、フードが脱げぬよう顔周りを紐で絞って固定するものにとどまっていた。
【先行技術文献】
【特許文献】
【０００３】
【特許文献１】登録実用新案第３１７６４５９号広報
【特許文献２】実願６１―１６５７０９号
【特許文献３】実願６３―５０２６５号
【発明の概要】
【発明が解決しようとする課題】
【０００４】
近年フード付きアウターウェア、特に「レインウェア」の需要が、一昔前の機能性に特化した製品とは別に、自転車や、ランニング、トレッキング、登山、スノーボード、スキー、釣り、野外ライブ・フェス等の「アウトドアアクティビティ」が若者を中心にファッション化するに伴い、先に流行し女性の間では雨天時の定番とまでなった「レインブーツ（長靴）」の後を追うように、見た目のデザイン性・ファッション性に重点を置くものが急速に市場に出回り、年々売り場を拡大している。
【０００５】
従来のレインウェア等のフード部分の機能は主に二分化している。そのうち、単に襟元にフードが付いているだけのものは、雨天の自転車走行等の着用時には簡単にフードが脱げてしまい、頭部が濡れ、フード本来の意味をなさない。また、脱げたフードを何度も被り直したり、フードが脱げぬよう片手で押さえていなければならず、非常に不便であり、雨や雪が直接目元にかかり視界が悪い上に、地面がスリップしやすい状況での片手運転は大変危険であった。
【０００６】
他にも、コンタクト使用者にとっては、前方からの風雨や雪が目に入りコンタクトが浮き上がることがあり、位置がずれる、外れる等大変不便であった。さらに女性の場合は、目元が濡れることによってアイメイクが落ち、マスカラ等で目の周りが黒く滲んでしまう等の問題があった。
【０００７】
しかし、最近多く出回るようになったデザイン性やファッション性を重視したレインウェアのフードは、概ね前記のタイプである。そのため購入者はレインウェアのデザイン性やファッション性を重視して購入しているにも関わらず、結果として着用時にはファッション性を損ねる防雨具を併用する必要性が出てくる。
【０００８】
一方で、着用時の機能性を重視し、風で脱げぬようフードの顔周りを紐で絞るものは、頭部は濡れないが前記フードと同じく顔は露出している為、直接雨が目にかかるという前記フードと同じ問題があった。また、顔面に沿ってフードを密着させるため、後方確認の際にフードの側面で視界が遮られ危険であった事や、顔周りを紐で絞った状態が、非常に不恰好であるという見た目の問題があった。
【０００９】
次に、顔周りを紐で絞って固定するフード部分に、顔面への防雨と視界を確保する為の、透明なビニール素材やプラスチック板から成る庇部付きのレインウェアも、同じく顔周りを紐で絞る為、装着時の見た目の問題があった。その上、雨の強さや風向きによっては、庇の下から雨が吹き込み肝心の目元が濡れる為、前傾姿勢をとった上で目を細めて運転する事があった。さらに、目と離れた場所で雨を遮っているため、視線がビニールやプラスチック製の透明の庇部に付着した水滴を捉えてしまう為、いくら庇部が透明であっても、付着した水滴越しでは前方の見通しが悪くなる。
【００１０】
次に、額部に装着し、顔全体を覆うプラスチック製の雨用バイザーは、顔面への防雨にはなるが、当然バイザー自体のサイズが大きくなる。それによって装着時の見た目の不自然さが著しく、顔全体を覆う圧迫感や、呼吸時の曇り、携帯時にも嵩張る等の不便があった。
【００１１】
以上に示すように、既存の頭部や目元に対する防雨対策は、顔面をすっぽりと覆うバイザー以外は、頭上で雨を遮る構造が多い。しかし、特に自転車走行においては風や走行スピードによる前方から吹き込む雨や雪の影響を重視した目元の防雨対策が必要となる事や、防雨具の形状による携帯性の問題、さらには装着時の見た目のファッション性が考慮されていない等、上記の物では不十分であった。
【００１２】
本発明は、このように従来にあった問題を解決する為に、レインウェア等のフードが本来の防雨機能を果たすと「同時」に、目元に直接かかる雨を防いで視界を確保し、装着時の見た目と携帯性を考慮したフード付きアウターウェアの改良を実現する事を目的とするものである。
【課題を解決するための手段】
【００１３】
本発明は、上記課題を解決するために、前面に顔を露出する為の開口部を有するフード本体部と、目元に装着されるメガネを、前記メガネを着脱可能に前記フード本体部の前記開口部に保持する為の前記メガネ用保持具とを備えてなるフードを提供するものである。
【００１４】
ここで、「フード」とは、頭部に被着され、顔が露出されるよう開口部を有しているものである。主に上着や衣類等の襟部に使用され、襟部から取り外しできるものであっても良い。また、「メガネ」とは、一般的なメガネを指しており、主にレンズ部、ブリッジ部、アーム部等によって構成されるものであれば良い。また、前記レンズ部は度なし、度入り、色付き、でも良い。中には同じ形状で、「ゴーグル」という名称で呼ばれているものもある。
【００１５】
前記フード本体の開口部の「上部」とは、頭部に前記フード本体を被着した時の、顔面の額からこめかみ辺りまでの部分を指す。また、前記フード本体の開口部の「内側」「外側」とは、前記で示した前記フード上部の額側に面する裏と表の部分のことである。
また、請求項１等での「固着」とは、主に縫製や接着等によって、前記フード本体部の前記開口部の上部内側に完全に固定されていることを示す。
【００１６】
また、「着脱自在」とは、前記フード部に対して前記メガネ用保持具が前記フード本体部の前記開口部の上部に対し、例えば面ファスナー等のような着脱自在な係止部によって取り外し可能に係止されていることを示す。
【００１７】
また、請求項１から６に示す、前記一端部と前記他端部及び請求項７においては、固定位置を調節自在に選択でき、且つ、前記メガネを着脱自在に保持する係止部が設けられていることを示す。この場合、係止部に最も適しているのが面ファスナーである。また、この時係止部は、面ファスナーの他に、スナップボタン、ホック、マグネット、クリップ、ボタン、ベルト部、等であっても良い。
【００１８】
また、請求項８の「フードを備えてなるアウターウェア」とは、フードを有する衣類のことである。主に防雨、防風、防寒、日よけ用の上着であり、フード部分が取り外し可能であっても良い。
【００１９】
また、請求項１から７記載の保持具は、メガネ用保持具付きでないアウターウェア等のフードに後から取り付けることもできる。
【発明の効果】
【００２０】
上述したように、本発明のレインウェア等のアウターウェアの「フード」は、フード上部内側に固着された「メガネ用保持具」によって、目元に装着され鼻梁と両耳元において確実に固定される「メガネ」を保持する事が可能となる。目元に最も密着し、風の抵抗を受けにくく、確実に固定された「メガネ」をフードの内側で保持する事によって、フードが脱げないだけでなく、フード先端部の内側にメガネのレンズ上部が収まり、目元への雨を完全に防ぐ事ができる。それによって、従来の庇部のように風向きや雨の強さによって雨が目元に吹き込む事や、目を細めながら運転する必要もなくなる。
【００２１】
また、フードの顔周りを紐で縛るのではなく、フードの開口上部を目元のメガネに固定していることから、自転車での後方確認の際も、顔の向きとフードの開口部が連動し、視界を遮ることなくフード被着時の安全性も向上する。
【００２２】
さらに、目元に密着した硬性のレンズ部により、付着した水滴の合間から前方を見通すことが可能となり、目元と離れた場所に設けられた従来の透明なビニールやプラスチック性の庇部越しの視界に比べ、良好な視界を確保する事ができる。また、目元の防雨具がメガネである事によって、撥水加工が施されているレンズの使用や、市販されているメガネ専用の撥水用や曇り止め用スプレー等を使用すれば、レンズに対する撥水効果をさらに上げる事も可能である。
【００２３】
前記構成によって、従来のようにフードや透明の庇部や鍔付きの帽子やバイザー、固定器具等、見た目を損ね携帯に嵩張る等の余分な製品を使用することなく、良好な視界を確保し、防雨装置の簡略化をはかることができ、着用時の見た目もすっきりする。
【００２４】
さらに、保持具がメガネを着脱自在に保持するため、不使用時にはメガネを取り外しておくことができる。その際メガネはアーム部分を折りたたんでレインウェア等のポケットに収納する事ができるため、従来の雨用バイザーや雨用ハット等と比べ、最も携帯性に優れており、常時レインウェア等のポケットに携帯しておけば持ち出し忘れや紛失を防ぐ効果もある。
【００２５】
また、本発明のメガネ用保持具に使用されるメガネは、専用の形状である必要がなく、一般的なメガネの形状に対応できるため、使用者は市販されている１００円代から手に入るメガネや、手持ちのメガネを活用することができる。よって、不要なコストがかからず、またメガネのデザインや色、レンズの補正機能や伊達メガネやサングラスなど、使いやすさや自分の好みに合ったものを選択することができる。
【００２６】
以上に述べたように、本発明によるレインウェア等のフードにメガネを固定可能にするメガネ用保持具を備えることによって、「メガネ一つ」で、メガネ本来の機能とは違う効果である、「フードを固定する為の重石代わり」と、「雨天時の目元の防雨具」としての二つの機能を同時に得ることができる。また、保持具自体もフード内部に固定されており雨に濡れにくく、保持具をフード本体部と同じ素材や色を使用すれば、目立つ事もない。よって、従来のフードに設けた透明な庇部のようにフードの外観を損ねる事なく防雨効果を得る事ができる。
【００２７】
すなわち本発明のフードによって、雨天時のレインウェア等のフードや着用時の姿を、よりシンプルに違和感なくまとめることが可能となる。本発明のレインウェアの着用時は、見た目には使用者がフードをかぶり、メガネをつけている姿にすぎない。しかし実際には、フードの内側にフードとメガネを固定させるためのメガネ用保持具が備えられており、フードが脱げず、目元に雨や雪が入り込まない仕組みになっている。よって見た目のファッション性を損なうことなく、従来の防雨機能の改良を実現され、雨天時の自転車走行等における「レインウェアの新しいスタイル」を与えるものである。
【００２８】
次に、請求項１から７によれば、フードとメガネを、前記メガネの形状を利用して、メガネのブリッジ部、アーム部等において、目と目の間と、目元の両端において視界を遮ることなく保持することができる。さらにブリッジ部またはアーム部は、メガネのレンズ部に対し中央より上方に構成されているため、フードが目線の位置より上部で保持される事となる。それによって、フードが目線に被さる事なく良好な視界を確保することが可能となる。
【００２９】
また、フードが保持具によってブリッジ部やアーム部に保持されている事で、「顔面」ではなく「目元」においてフードを固定することが可能となり、左右や後方確認する際に、フードが目元の動き連動し、従来にあったフードの側面によって視界が遮られることを防ぐ。なお、その時保持具の取り付け位置を、フードの先端部より上方奥側にずらすことで、額に対するフードの先端部に庇部を形成することができる。さらに、保持具がブリッジ部を保持する事で、メガネのブリッジ部の凹状の隙間を保持具で埋めることができ、より目元への防雨が増す効果もある。
【００３０】
請求項３によれば、固着すれば確実な固定が得られ、着脱可能にすれば、保持具が劣化した際等に付け替えることができる。
【００３１】
また、保持具の固定位置が調整自在で、且つ着脱可能である面ファスナー等の係止部が設けられていることによって、様々なフードやメガネの形状に関わらず、フードをメガネのブリッジ部やアーム部と並行するレンズ上部に被さるようにフードを前方へ引きおろして固定する事ができる。それによって、フード先端の内側にメガネが重なるように固定され、フードとメガネの間に隙間を作る事なくフードを保持することができる為、雨や雪はフードとレンズ部に遮られ、頭部から目元のレンズ下部までが濡れずに済む。特に女性においては、頭部から目元まで確実に雨が遮られている事は非常に重要であり、通勤時や子供の送迎時等にアイメイクの崩れを気にする必要がなくなり、雨天時の自転車走行が非常に快適なものになる。
【００３２】
また、面ファスナー等による係止部によって保持具が確実に固定されているため、固定された位置より下方にフードが下がってくる事はなく、視界を安定して確保することができる。
さらにはその係止部によって、不使用時の保持具をフード内側に密着させて収納できるため、フードの外観に影響を与える事なく、また保持具が邪魔になる事もない。また、保持具の固定方法が面ファスナー等の係止部による非常に単純な構成であるため、取り付けに簡単で、子供からお年寄りに至るまで使用者を選ばない。
【００３３】
また、フードつきアウターウェアの生産者側に対し、本発明のメガネ用保持具は単純な構造で、レインウェアやフード付きアウターウェア等を製造する際の端材や部材によって製造でき、ウェア本体のデザイン変更なく、フード本体部にメガネ用保持具を取り付けるだけで、フード及びフード付きアウターウェアの防雨機能を非常に低いコストで改良する事ができる。
【００３４】
また、本発明のフード用メガネ保持具によれば、フード自体に防雨機能のない従来のレインウェアに対しても、使用者が自ら取り付けることにより、本発明の効果を実施することが可能となる。
【００３５】
また、構成が単純であり、保持具本体や係止部用の部材には、大量生産され一般的に流通されている部材を使用することができる為、生産者側にとって、コストがかからず、その上形状も小さく軽い為、出荷や保管に場所をとらず大量生産、大量出荷することが可能である。同時にそれらの要素は販売者側においても大きなメリットである。
【００３６】
以上に示す本発明の請求項１から８によって、従来のフード付きアウターウェア、主にレインウェアの着用時や携帯時にあった問題を解消することができる。また、本発明は使用者によって様々な実施形態をとることが可能であり、その事によって、レインウェア等のフード付きアウターウェアを選ぶ際、着用時の頭部や目元の防雨効果を気にする事なく、デザインや機能など、自分の好みに合ったものを選択でき、購入時の選択肢を拡げることができる。
【図面の簡単な説明】
【００３７】
【図１】保持具をメガネのブリッジ部とフード上部中央にて固着完了した状態正面図
【図２】図１の状態における保持具の拡大断面図
【図３】図１の保持具をメガネに装着する途中の一例拡大斜視図１
【図４】図１の保持具をメガネに装着する途中の一例拡大斜視図２
【図５】保持具をメガネに装着する途中の一例拡大斜視図３
【図６】フード本体部に対して異なる位置に固着された状態の拡大断面図
【図７】保持具をメガネのアーム部２箇所とフード本体部の上部両端に固着完了した状態斜視図
【発明を実施するための形態】
【００３８】
以下、本発明の実施の形態を図１から図７において説明する。
【実施例】
【００３９】
図１は、フード本体部１に固着された保持具２によって、視界を妨げる事なく眉間の前方又は後方から包み込むようにメガネのブリッジ部７を保持した後、フード上部１Ａの上部中央１Bにおいて、保持具２の一端部２Ｂと他端部２Ｃが面ファスナーによって互いに密着接合した後、メガネ6のアーム部9を耳元で保持する事でメガネ6が目元に装着された際の状態斜視図である。
【００４０】
使用者はフード本体部１の開口上部１Ａに固着されている保持具２に対し、メガネ6を保持させることで、雨天時の自転車走行等で、フードが風で脱げるのを防ぐと同時に、目元に装着したメガネのレンズ部８によって目元への雨を防ぐことができる。
【００４１】
この時、保持具２がメガネ６のブリッジ部７で保持されることによって、フード上部１Ａの内側１Ｃにメガネ６の両レンズ部８の上部が、わずかにフード内側に収まるため、雨はフード１とメガネの両レンズ部８に遮られ、頭部からレンズの下方に至るまで雨に濡れることがなくなる。レンズ部８が大きいものであれば、より目元に対する防雨範囲が広くなる。
【００４２】
また、保持具２を目と目の間に位置するブリッジ部７で保持する事は、視界を妨げないだけでなく、フードとメガネを固定する際にも、ブリッジ部がメガネの構成上目線を遮らない目元の上部に位置し、面ファスナー等によって確実に固定されるため、レンズの上部をわずかにフードの内側に入れ確実に防雨効果を果たしながらも、視界にまでフードが落ちてくる事はない。そのため、良好な視界を確保することが可能となる。さらに、ブリッジ部は両方のレンズ部によって挟まれていることから、左右にずれることなく確実に固定される利点もある。
【００４３】
また、保持具２がフード開口上部１Ａを固定し、フード開口部の下方を首部３において固定されているため、フード本体部１の開口部に対する風の抵抗を減らす補助的役割を果たし、フードの脱げを防止する効果をさらに上げることができる。
ここで、アウターウェアの本体部である５は主にレインウェアであり、レインコート、レインポンチョ、上下に分かれたレインスーツ、つなぎタイプ等がある。その他にウィンドブレーカー、ジャンバー、ブルゾン、コート、パーカー等「フード」を有する衣類でも良い。
【００４４】
更に、コートやパーカー等の雨具以外の衣類に使用される素材、例えば綿、麻、アクリル、レーヨン等を用いることも可能である。その場合日よけなどにも役立ち、海辺で日に焼けぬようサングラスをかけ、パーカーなどを着用する際に役立つ。
【００４５】
次に、この時のメガネ６は、度入り・度なしメガネ、サングラス等の色付きメガネ等があり、主にレンズ部６、ブリッジ部７、アーム部９によって形成される。
そして目元に装着される「メガネ」は、一般的なものとして目元に最も密着した形状のフレームから成り、メガネの６ブリッジ部７のパッド部分で鼻梁と、両方のアーム部９で両方のこめかみ部分で保持されている。これによって顔面の中心部と両脇においてメガネ７が確実に固定されることとなり。結果、メガネ６に保持されるフード１が確実に固定され、フードの脱げを防ぐことができる。
【００４６】
本発明のフード保持具２に、世界共通の形状を持ち、昔から広く一般に使用され、近年ではファッション性を向上させるアイテムとして定着したメガネをフードと固定させる事は、フード装着時の見た目の自然さ、コンパクトな携帯性、耐水性、利便性、ファッション性を伴い、老若男女を問わず世界中で幅広い層に効果を発揮する事ができる。
さらに、メガネは大量生産され１００円台からでも入手できる為、雨天時の防雨具としても、ビニール性の傘と同様に気軽に購入でき、従来の防雨具と比較し低コストに抑えることができる。
【００４７】
また、メガネ６の特性として、水洗い出来ること、さらにレンズ８に対して撥水性や曇り止め等を施すことができる為、雨除け効果を向上・持続させることが可能である。さらには、メガネ自体が用途やデザインに豊富な選択肢があり、且つファッション性を向上させるアイテムである事も今までの防雨具にはない特徴である。
【００４８】
また、目元に最も密着した形状により、帽子やバイザーのように風に煽られたり飛ばされる事がほとんどない。また、顔全体を覆うバイザーのように鼻部分が覆われておらず、呼吸もスムーズで圧迫感もない。さらに、非常にコンパクトであることから、携帯性にも優れている。更に、フードの形状や大きさ、メガネ６のブリッジ部７の幅やブリッジ部７の底部からレンズ上部までの高さは、概ね世界共通の寸法となっており、世界中の様々なフード付きアウターウェアにおいて本発明の保持具の効果を実施する事ができる。
【００４９】
また、安全面においても、ツール・ド・フランスで知られるロードレース（主に舗装された道路を自転車で走行しタイムを競う）の選手の多くが、雨天時のレース中においてもヘルメットとともにサングラス等のメガネを装着しており、公的なレースで使用が認められている事からも、雨天着用時の視界の安定性と安全性が保障されていると言える。
【００５０】
図２は、フード開口上部１Bに保持具２の一端部２Aが縫製や接着によって固着されており、メガネ６のブリッジ部７を保持した後、フード外側固着部１Cにおいて、面ファスナーのフック部２Cと、互いの固定位置をメガネのフレーム部の形状などによって調節自在で且つ着脱可能に固定することができる。この係止部によって、保持具２の不使用時には、フード開口上部１Aに互いを密着して固定し収納することができるため、保持具が邪魔にならない。また、この時係止部は、面ファスナーの他に、スナップボタン、ホック、マグネット、クリップ、ボタン、ベルト部、等であっても良い。
【００５１】
また、既存のレインウェアに本発明の保持具２を付ける場合は、使用者が図１及び図７と同様に、例えばフード本体１の開口部の上部１Aの中央にメガネのブリッジ部7を保持させる為の本発明の保持具２を固着させる。もしくは図7に示す、メガネ6の両アーム部9をフード本体部１の1Dに固着させる。またその両方であっても良い。
【００５２】
その時、保持具２の一端部の固着部２Ａには、使用者が本体に取り付けやすい固着部である必要がある。例えば、ボンドや瞬間接着剤などの接着剤や強力な両面テープによるもの、また、アイロン等の熱を利用して固定するものや、取り外すことのできる面ファスナーにしても良い。なお、裏面２Ｂにはあらかじめ、面ファスナー等の係止部が図２のように、縫製や接着などによって固着されている。こちらも前述のように着脱可能に互いを固定できるものであれば良い。また、その時保持具２は、雨に濡れることを想定し、アウターウェアやフードと同素材を用いることが好ましく、主にレインウェアの材質に多いナイロン、ポリエステル、ポリウレタン等である。本発明の単体の保持具により、従来のレインウェア等の様々なフード付き衣類にて本発明の防風雨対策を実施する事ができる。
【００５３】
図３は、図１または図２に示す固着完了図に至る前の途中図である。前記に説明した係止部２Ｂと２Ｃを備えた保持具２によって、目元に装着されるメガネ６が保持され、メガネ６のブリッジ部８に保持具２を後方から前方へ向け巻き付けるようにして保持させる。なお、アーム部９の２箇所を保持する際も可能である。使用者は、例えばまずレインウェアを着用し、メガネ６を目元に装着したのち、フードの開口上部１Aの裏側に固着された保持具２をブリッジ部７の後方から前方へ引き出し、フード上部１Cの固着部の面ファスナーループ部と保持具２Cの面ファスナーフック部を係止させ固着を完了させる。
【００５４】
図４は、前記に説明した逆の行程での途中図である。例えば、フード開口上部中央に固着された保持具２を、ブリッジ部７の前方から後方へ向かってループ状に巻き込むように保持させ、フード開口上部１Aの裏側の固着部１Bに固着された面ファスナーのループ部と、係止部２Ｃを備えた保持具２によって、目元に装着されるメガネ６が保持される前の途中図であり、メガネ６のブリッジ部７に保持具２を前方から巻き付けるようにして保持させる。使用者は、まずレインウェアを着用し、次にフードの開口上部を前方へ引き出し、中央部に固着されている保持具をメガネのブリッジ部に巻きつけて固定する。そのまま目元へメガネを装着すれば、フードが自然と頭部に被着される。なお、これもまたアーム部９の２箇所の固着においても可能である。
【００５５】
図５は、例えばフード開口上部１Aに保持具２の一端部を固着させ、図３で説明した方法でブリッジ部７を保持させたのち、保持具２の一端部と他端部の面ファスナーによる係止部によって固着される前の途中図である。なお、これもまたアーム部９の２箇所においても可能である。
【００５６】
図６は、例えば図１の固着完了図において、保持具２の一端部と他端部で係止されるのではなく、フード上部１Aにおける固着部１Bにおいて、位置の異なる係止部を設け、固着が完了された図である。尚、この方法は、フードの内側、外側どちらでも可能であり、また、ブリッジ部７やアーム部９の２箇所でも可能である。
【００５７】
（実施の形態２）アーム部
図７は、例えばフード本体上部１Aの両端に設けられたアーム部保持用固着部１Dに対して、メガネのアーム部9二箇所を保持する際の装着時の状態を示すものである。これによって、フードが、視界を妨げることのなく目元二箇所において固定されることとなる。またこの他に、図１のようにブリッジ部７を固定した後、両アーム部９を固定すれば、フードが顔面の三箇所において固定されることとなり、より強力にフード本体部１へ固定することができる。
【００５８】
以上によって、フード自体に防雨機能のない従来のレインウェアに対しても、本発明による保持具２の一例に示すように様々な実施形態によって、本発明の効果を実施することができ、また使用者はそれによってデザインや機能性等自分の好みに合ったレインウェアを選択することができ、購入時の選択肢を拡げることができる。
【００５９】
また、生産者側にとっても本発明のフード用メガネ保持具及び保持具付きフードを備えたアウターウェアは、どちらも保持具が単純な構成且つ取り付けに簡単で、アウターウェア製造時の端材や部材によって製造できるため、非常に低コストで自社製品の改良を実施できる。さらに１００円ショップ等で扱える保持具単体の場合は、さらに形状が小さく軽量であり、量産向きで、配送や保管等の面でも非常に優れている。それらの利点とレインウェアの需要が世界中にあることを鑑みて、本発明は世界中のフード付きアウターウェアにおいて、従来の不便さを解決し「新しいフードのスタイル」を築くものである。
【符号の説明】
【００６０】
１  フード本体部
１A  フード開口上部
１B  フード内側固着部
１C  フード外側固着部
１D  アーム部保持用固着部
２  メガネ保持具
２A  保持具固着部
２B  保持具係止部（面ファスナーループ部）
２C  保持具係止部（面ファスナーフック部）
３  首部
４  襟部
５  レインウェア本体
６  メガネ
７  ブリッジ部
８  レンズ部
９  アーム部
【図１】
2019214800.tif 000003
【図２】
2019214800.tif 000004
【図３】
2019214800.tif 000005
【図４】
2019214800.tif 000006
【図５】
2019214800.tif 000007
【図６】
2019214800.tif 000008
【図７】
2019214800.tif 000009